(57)【要約】【課題】木質固形燃料に木材の芯材のほかに樹皮材が含まれていても樹皮材の量に応じて木質固形燃料の形状を変更することで木質燃料暖房器具の運転効率の低下を防止できる木質固形燃料を提供する。【解決手段】木質固形燃料に含まれる樹皮材の灰分比または熱量および樹皮材の含有率に応じて木質固形燃料の形状を決定し、灰の生成量または発熱量を従来の木質固形燃料と同等にすることで、木質燃料暖房器具の運転効率を低下させることを防止できる。【選択図】図１
2005263907.tif 000002
【特許請求の範囲】
【請求項１】
木材の芯材または樹皮材を粉砕・圧縮し、成型した木質固形燃料であって、前記木質固形燃料に含まれる木材の芯材および樹皮材の少なくともどちらかの含有率に応じて形状を変化させることを特徴とした木質固形燃料。
【請求項２】
木材の芯材または樹皮材を粉砕・圧縮し、成型した木質固形燃料であって、前記木質固形燃料に含まれる木材の芯材および樹皮材の少なくともどちらかの含有率に応じて質量を増減させることを特徴とした木質固形燃料。
【請求項３】
木材の芯材または樹皮材を粉砕・圧縮し、成型した木質固形燃料であって、前記木質固形燃料に含まれる木材の芯材および樹皮材の少なくともどちらかの含有率に応じて密度を増減させることを特徴とした木質固形燃料。
【発明の詳細な説明】
【技術分野】
【０００１】
本発明は、木質燃料暖房器具に使用する木質固形燃料に関するものである。
【０００２】
本発明は、より詳細には木質固形燃料の形状に関する。
【０００３】
本発明は、木質固形燃料に係り、特に前記木質固形燃料を使用する燃焼器の運転効率を向上させるものである。
【背景技術】
【０００４】
ペレット状の木質固形燃料を使用した木質燃料暖房器具は燃料への着火、燃料供給、送風等が自動化されており、従来から存在している薪ストーブと比較して操作性が格段に向上していることから普及が進んでいる。（例えば、特許文献１、特許文献２参照）
前記木質固形燃料は間伐材や流木などの木材、おが屑や鉋屑などの製材廃材や林地残材、古紙といった木質系の副産物、廃棄物を粉砕・乾燥・圧縮し、木材の成分であるリグニンを熱で融解し固着させて成型したものであり、一般的に使用されている木質固形燃料の形状は円柱形状で長さは１〜２ｃｍ、直径は６ｍｍ程度である。また従来は木材の芯材を用いることが多かったが、近年では樹皮材も木質固形燃料として利用されるようになった。
【０００５】
先ず、前記木質固形燃料は木質燃料暖房器具内の燃料供給部に設置された木質固形燃料貯留槽内に貯留され、同じく燃料供給部に設置された燃料搬送装置により、燃料供給経路、燃料供給口を経て燃焼部の燃焼皿へと送られる。また燃焼部には燃焼用送風機によって給気口から燃焼に必要な空気が燃焼皿へ供給されて木質固形燃料が継続的に燃焼する。燃焼ガスは燃焼用送風機によって排気口から熱交換部、煙突を経て室外へ排出される。暖房器具の起動時においては、木質固形燃料の燃焼皿への供給後に自動着火装置が作動する。木質固形燃料燃焼によって発生する灰分比は前記燃焼皿の格子の下部に設けられた灰受部へ落下し、燃焼皿内の灰を排出する構造となっている。熱交換部では木質固形燃料の燃焼で発生した排気と室内循環用送風機によって室内給気口から給気された空気との間で熱交換が行われ、室内送風口より前記熱交換器により熱せられた空気が室内に送風されることで室内の暖房を行う。
【特許文献１】特開昭５６−１４９５０９号公報
【特許文献２】実開昭５８−１９０３０１号公報
【発明の開示】
【発明が解決しようとする課題】
【０００６】
しかしながら前述の木質燃料暖房器具の燃焼部において燃焼時の灰の生成量が多くなり、燃焼皿内の灰の量が多くなると、灰に含まれる酸化ケイ素成分が燃焼皿内でクリンカーと呼ばれるガラス状物質に変質して付着して更には給気口を塞ぐことで燃焼不良の原因となる可能性がある。燃焼皿内の灰の量が多くなる主な原因としては木材の樹皮材分を用いた木質固形燃料の使用があげられる。従来の木質固形燃料に多く含まれる芯材の灰分比は０．５％以下であるのに対して、樹皮材の灰分比は２．５％以上であるため、樹皮材を多く含んだ木質固形燃料を燃焼させると芯材のみの木質固形燃料よりも灰の生成量が多くなる。灰の生成量が多くなると燃焼皿内に灰が滞留しやすくなるため、クリンカーの発生量も多くなり、木質燃料暖房器具の運転効率が低下する。このため燃焼皿内に破砕機能などのクリンカー処理手段をもたない木質燃料暖房器具においては十分な空気が燃焼皿に供給されて燃焼皿内で発生した灰が吹き飛ばされて燃焼皿内に滞留しないように木材の芯材を用いた木質固形燃料を最適に燃焼する場合と比較して燃料供給量に対して空気供給量を増加させるか、または空気供給量に対して燃料供給量を減少させる必要がある。
【０００７】
また、従来の木質固形燃料に多く含まれる芯材の熱量は４０００ｋｃａｌ／ｋｇ程度であるのに対して、樹皮材の単位体積あたりの熱量は３２００ｋｃａｌ／ｋｇ程度であるため、木質固形燃料が樹皮材を多く含むと木質固形燃料の単位体積当たりの熱量が減少し、芯材のみの木質固形燃料と同量の燃料供給量では木質燃料暖房器具の燃焼温度が下がる。このため木質固形燃料に含まれる樹皮材の含有率に応じて火力調節を行わなければ一定の温度を保つことができず、木質燃料暖房器具の運転効率が低下する問題を有している。
【０００８】
本発明は前記従来の課題を解決するためのもので、木質固形燃料に含まれる樹皮材の灰分比または熱量および樹皮材の含有率に応じて木質固形燃料の形状を決定し、灰の生成量または発熱量を従来の木質固形燃料と同等にすることで、木質燃料暖房器具の運転効率を低下させることの無い木質固形燃料を提供することを目的とする。
【課題を解決するための手段】
【０００９】
前記従来の課題を解決するために、本発明の請求項１に記載の木質固形燃料は木材の芯材または樹皮材を粉砕・圧縮・成型した木質固形燃料であって、前記木質固形燃料に含まれる木材の芯材および樹皮材の少なくともどちらかの含有率に応じて形状が異なることを特徴としたものである。
【００１０】
請求項２に記載の前記木質固形燃料は、木材の芯材または樹皮材を粉砕・圧縮し、成型した木質固形燃料であって、前記木質固形燃料に含まれる木材の芯材および樹皮材の少なくともどちらかの含有率に応じて質量を増減させることを特徴としたものである。
【００１１】
請求項３に記載の前記木質固形燃料は、木材の芯材または樹皮材を粉砕・圧縮し、成型した木質固形燃料であって、前記木質固形燃料に含まれる木材の芯材および樹皮材の少なくともどちらかの含有率に応じて密度を増減させることを特徴としたものである。
【発明の効果】
【００１２】
本発明の木質固形燃料によれば、木質固形燃料に樹木の芯材のほかに樹皮材が含まれていても樹皮材の含有率に応じて形状、質量、密度を変更することで、灰の生成量を抑制したり、発熱量を一定に保つことで、前記木質固形燃料を使用する木質燃料暖房器具の運転効率の低下を防止することができる。
【発明を実施するための最良の形態】
【００１３】
以下に、本発明の木質固形燃料の実施の形態を図面とともに詳細に説明する。
【実施例１】
【００１４】
以下に、本発明の実施の形態について、図１を用いて説明する。
【００１５】
図１は、本発明の第１の実施例における木質固形質燃料の斜視図を示す。
図１において、灰分調整木質固形燃料Ａ１１および灰分調整木質固形燃料Ｂ１２は使用する材料に木材の樹皮材分を用いており、樹皮の灰分比および木質固形燃料の樹皮材の含有率に応じて木質固形燃料の質量が小さくなるような形状としている。例えば図１のように断面形状を円形とした円柱形状の木質固形燃料の長さを変更することによって木質固形燃料が燃焼した場合に発生する灰の生成量を従来の木質固形燃料１と同量とする場合は
2005263907.tif 000003
【００１６】
として、灰分調整木質固形燃料Ａ１１の長さを決定することができる。ただし、密度は従来の木質固形燃料と同じとする。
また、図１のように木質固形燃料の長さを一定として、断面積の変更によって、木質固形燃料が燃焼した場合に発生する灰の生成量を従来の木質固形燃料と同量とする場合は
2005263907.tif 000004
【００１７】
として、灰分調整木質固形燃料Ｂ１２の断面積を決定することができる。ただし、密度は従来の木質固形燃料と同じとする。
【００１８】
一般的に樹皮材の灰分比は芯材より大きいことから、前述の式より従来の木質固形燃料に比べ前記灰分調整木質固形燃料Ａ１１および灰分調整木質固形燃料Ｂ１２は質量が小さくなる。これにより前記灰分調整木質固形燃料Ａ１１および灰分調整木質固形燃料Ｂ１２を木質燃料暖房器具の木質固形燃料貯留槽に投入し、灰分調整木質固形燃料の個数をカウントする機能を備えた燃料搬送装置にて、一定の個数の灰分調整木質固形燃料を燃焼皿に供給した場合においても、灰の生成量が増えることは無く、クリンカーの発生量を抑制することができ、クリンカーの発生による暖房器具の運転停止などの運転効率の低下を防止することができる。
さらに、木質固形燃料の密度を変化させることによっても、同様な効果が得られることは言うまでもない。
【実施例２】
【００１９】
図２は、本発明の第２の実施例における木質固形質燃料の斜視図を示す。
図２において、熱量調整木質固形燃料Ａ２１および熱量調整木質固形燃料Ａ２２は使用する材料に木材の樹皮材を用いており、樹皮の熱量および木質固形燃料の樹皮材の含有率に応じて木質固形燃料の質量が大きくなるような形状としている。例えば図２のように断面形状を円形とした円柱形状の木質固形燃料の長さの変更によって、木質固形燃料の熱量を従来の木質固形燃料と同量とする場合は
2005263907.tif 000005
【００２０】
として、熱量調整木質固形燃料Ａ２１の長さを決定することができる。ただし、密度は従来の木質固形燃料と同じとする。
また、図２のように木質固形燃料の長さを一定として、断面積の変更によって、木質固形燃料を燃焼した場合に発生する熱量を従来の木質固形燃料と同量とする場合は
2005263907.tif 000006
【００２１】
として、熱量調整木質固形燃料Ｂ２２の断面積を決定することができる。ただし、密度は従来の木質固形燃料と同じとする。
一般的に樹皮材の熱量は芯材より小さいことから、前述の式より従来の木質固形燃料に比べ前記熱量調整木質固形燃料Ａ２１および熱量調整木質固形燃料Ｂ２２は質量が大きくなる。これにより前記熱量調整木質固形燃料Ａ２１および熱量調整木質固形燃料Ｂ２２を木質燃料暖房器具の木質固形燃料貯留槽に投入し、前記熱量調整木質固形燃料の個数をカウントする機能を備えた燃料搬送装置にて、一定の個数の熱量調整木質固形燃料を燃焼皿に供給した場合においても、暖房器具の発熱温度を低下させることが無いため、木質固形燃料に含まれる樹皮材の含有量が異なることで燃料供給量および空気供給量を再調整などが必要なく、木質燃料暖房器具の運転効率の低下を防止することができる。
さらに、木質固形燃料の密度を変化させることによっても、同様な効果が得られることは言うまでもない。
【産業上の利用可能性】
【００２２】
本発明にかかる木質固形燃料は、木質固形燃料に木材の芯材のほかに樹皮材が含まれていても樹皮材の量に応じて木質固形燃料の形状、質量、密度を変更することで木質燃料暖房器具の運転効率の低下を防止できる。
【図面の簡単な説明】
【００２３】
【図１】本発明の実施例１における灰分調整木質固形燃料の斜視図
【図２】本発明の実施例２における熱量調整木質固形燃料の斜視図
【図３】従来の木質固形燃料の斜視図
【符号の説明】
【００２４】
１    従来の木質固形燃料
１１  灰分調整木質固形燃料Ａ
１２  灰分調整木質固形燃料Ｂ
２１  熱量調整木質固形燃料Ａ
２２  熱量調整木質固形燃料Ｂ
【図１】
2005263907.tif 000007
【図２】
2005263907.tif 000008
【図３】
2005263907.tif 000009